【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
無線通信システムでユーザー装置が信号を伝送する方法において、
ユーザー装置が制御情報をチャネル符号化するステップと、
チャネル符号化された制御情報を複数のデータブロックと多重化するように、チャネルインターリービングを行ってユーザー装置が前記信号を生成するステップと、
ユーザー装置が前記信号を基地局へ伝送するステップと、を含み、
前記制御情報のためのチャネル符号化されたシンボルの個数は、下記の式を用いて決定されることを特徴とし、
【数１】
2013530563.tif 000001
ここで、ＰａｙｌｏａｄUCIは、前記制御情報のサイズで、ＰａｙｌｏａｄData(1)は、１番目のデータブロックのサイズで、
【数２】
2013530563.tif 000002
は、１番目のデータブロックの初期ＰＵＳＣＨ伝送のためのＲＥの個数で、ＰａｙｌｏａｄData(2)は、２番目のデータブロックのサイズであり、
【数３】
2013530563.tif 000003
は、２番目のデータブロックの初期ＰＵＳＣＨ伝送のためのＲＥの個数であり、
【数４】
2013530563.tif 000004
は、オフセット値であり、αは、１以上の整数で、λ1は、１以上の整数で、λ2は、１以上の整数であり、
【数５】
2013530563.tif 000005
は、天井関数を表す、信号伝送方法。
【請求項２】
【数６】
2013530563.tif 000006
であり、ｉ番目のデータブロックのサイズは、
【数７】
2013530563.tif 000007
であることを特徴とし、
ここで、
【数８】
2013530563.tif 000008
は、ｉ番目のデータブロックの初期ＰＵＳＣＨ伝送のためにスケジューリングされた副搬送波の個数で、
【数９】
2013530563.tif 000009
は、ｉ番目のデータブロックの初期ＰＵＳＣＨ伝送のためのサブフレーム当たりのＳＣ−ＦＤＭＡシンボルの個数で、Ｃ(i)は、ｉ番目のデータブロックのコードブロックの個数であり、
【数１０】
2013530563.tif 000010
は、ｉ番目のデータブロックのｒ番目のコードブロックのサイズで、ｒは、０以上の整数である、請求項１に記載の信号伝送方法。
【請求項３】
α＝１、λ1＝１及びλ2＝１であることを特徴とする、請求項１に記載の信号伝送方法。
【請求項４】
前記制御情報は、ＡＣＫ／ＮＡＣＫまたはＲＩ（Ｒａｎｋ  Ｉｎｄｉｃａｔｏｒ）であることを特徴とする、請求項１に記載の信号伝送方法。
【請求項５】
無線通信システムで信号を伝送するように構成されたユーザー装置において、
無線周波数ユニットと、
プロセッサと、を含み、
前記プロセッサは、制御情報をチャネル符号化し、チャネル符号化された制御情報を複数のデータブロックと多重化するように、チャネルインターリービングを行って前記信号を生成し、前記信号を基地局へ伝送するように構成され、
前記制御情報のためのチャネル符号化されたシンボルの個数は、下記の式を用いて決定されることを特徴とし、
【数１１】
2013530563.tif 000011
ここで、ＰａｙｌｏａｄUCIは、前記制御情報のサイズで、ＰａｙｌｏａｄData(1)は、１番目のデータブロックのサイズで、
【数１２】
2013530563.tif 000012
は、１番目のデータブロックの初期ＰＵＳＣＨ伝送のためのＲＥの個数で、ＰａｙｌｏａｄData(2)は、２番目のデータブロックのサイズであり、
【数１３】
2013530563.tif 000013
は、２番目のデータブロックの初期ＰＵＳＣＨ伝送のためのＲＥの個数であり、
【数１４】
2013530563.tif 000014
は、オフセット値であり、αは、１以上の整数で、λ1は、１以上の整数で、λ2は、１以上の整数であり、
【数１５】
2013530563.tif 000015
は、天井関数を表す、ユーザー装置。
【請求項６】
【数１６】
2013530563.tif 000016
であり、ｉ番目のデータブロックのサイズは、
【数１７】
2013530563.tif 000017
であることを特徴とし、
ここで、
【数１８】
2013530563.tif 000018
は、ｉ番目のデータブロックの初期ＰＵＳＣＨ伝送のためにスケジューリングされた副搬送波の個数で、
【数１９】
2013530563.tif 000019
は、ｉ番目のデータブロックの初期ＰＵＳＣＨ伝送のためのサブフレーム当たりのＳＣ−ＦＤＭＡシンボルの個数で、Ｃ(i)は、ｉ番目のデータブロックのコードブロックの個数であり、
【数２０】
2013530563.tif 000020
は、ｉ番目のデータブロックのｒ番目のコードブロックのサイズで、ｒは、０以上の整数である、請求項５に記載のユーザー装置。
【請求項７】
α＝１、λ1＝１及びλ2＝１であることを特徴とする、請求項５に記載のユーザー装置。
【請求項８】
前記制御情報は、ＡＣＫ／ＮＡＣＫまたはＲＩ（Ｒａｎｋ  Ｉｎｄｉｃａｔｏｒ）であることを特徴とする、請求項５に記載のユーザー装置。
【請求項９】
無線通信システムでユーザー装置が信号を伝送する方法において、
ユーザー装置が制御情報をチャネル符号化するステップと、
チャネル符号化された制御情報を複数のデータブロックのうち一つと多重化するように、チャネルインターリービングを行ってユーザー装置が前記信号を生成するステップと、
ユーザー装置が前記信号を基地局へ伝送するステップと、を含み、
前記制御情報のためのチャネル符号化されたシンボルの個数は、下記の式を用いて決定され、
【数２１】
2013530563.tif 000021
ここで、αは、１以上の整数で、ＰａｙｌｏａｄUCIは、前記制御情報のサイズで、ＰａｙｌｏａｄData(x)は、データブロックｘのサイズであり、
【数２２】
2013530563.tif 000022
は、前記データブロックｘの初期ＰＵＳＣＨ伝送のためのＲＥ（Ｒｅｓｏｕｒｃｅ  Ｅｌｅｍｅｎｔ）の個数で、
【数２３】
2013530563.tif 000023
は、オフセット値であり、
【数２４】
2013530563.tif 000024
は、天井関数を表し、
前記データブロックｘは、前記複数のデータブロックのうち初期伝送のためのＭＣＳ（Ｍｏｄｕｌａｔｉｏｎ  ａｎｄ  Ｃｏｄｉｎｇ  Ｓｃｈｅｍｅ）インデックスが最も大きいデータブロックを表し、前記複数のデータブロックが同一の初期伝送のためのＭＣＳインデックスを有する場合、１番目のデータブロックを表す、信号伝送方法。
【請求項１０】
【数２５】
2013530563.tif 000025
であり、前記データブロックｘのサイズは、
【数２６】
2013530563.tif 000026
であることを特徴とし、
ここで、
【数２７】
2013530563.tif 000027
は、前記データブロックｘの初期ＰＵＳＣＨ伝送のためにスケジューリングされた副搬送波の個数で、
【数２８】
2013530563.tif 000028
は、前記データブロックｘの初期ＰＵＳＣＨ伝送のためのサブフレーム当たりのＳＣ−ＦＤＭＡシンボルの個数で、Ｃ(x)は、前記データブロックｘのコードブロックの個数であり、
【数２９】
2013530563.tif 000029
は、前記データブロックｘのｒ番目のコードブロックのサイズであり、ｒは、０以上の整数である、請求項９に記載の方法。
【請求項１１】
α＝１であることを特徴とする、請求項９に記載の方法。
【請求項１２】
前記制御情報は、チャネル品質に関連した情報を含むことを特徴とする、請求項９に記載の方法。
【請求項１３】
前記制御情報は、ＣＱＩ（Ｃｈａｎｎｅｌ  Ｑｕａｌｉｔｙ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）のうち少なくとも一つを含むことを特徴とする、請求項９に記載の方法。
【請求項１４】
信号を伝送するように構成されたユーザー装置において、
無線周波数ユニットと、
プロセッサと、を含み、
前記プロセッサは、制御情報をチャネル符号化し、チャネル符号化された制御情報を複数のデータブロックのうち一つと多重化するように、チャネルインターリービングを行って前記信号を生成し、前記信号を基地局へ伝送するように構成され、
前記制御情報のためのチャネル符号化されたシンボルの個数は、下記の式を用いて決定され、
【数３０】
2013530563.tif 000030
ここで、αは、１以上の整数であり、ＰａｙｌｏａｄUCIは、前記制御情報のサイズで、ＰａｙｌｏａｄData(x)は、データブロックｘのサイズであり、
【数３１】
2013530563.tif 000031
は、前記データブロックｘの初期ＰＵＳＣＨ伝送のためのＲＥ（Ｒｅｓｏｕｒｃｅ  Ｅｌｅｍｅｎｔ）の個数で、
【数３２】
2013530563.tif 000032
は、オフセット値であり、
【数３３】
2013530563.tif 000033
は、天井関数を表し、
前記データブロックｘは、前記複数のデータブロックのうち初期伝送のためのＭＣＳ（Ｍｏｄｕｌａｔｉｏｎ  ａｎｄ  Ｃｏｄｉｎｇ  Ｓｃｈｅｍｅ）インデックスが最も大きいデータブロックを表し、前記複数のデータブロックが同一の初期伝送のためのＭＣＳインデックスを有する場合、１番目のデータブロックを表す、ユーザー装置。
【請求項１５】
【数３４】
2013530563.tif 000034
であり、前記データブロックｘのサイズは、
【数３５】
2013530563.tif 000035
であることを特徴とし、
ここで、
【数３６】
2013530563.tif 000036
は、前記データブロックｘの初期ＰＵＳＣＨ伝送のためにスケジューリングされた副搬送波の個数で、
【数３７】
2013530563.tif 000037
は、前記データブロックｘの初期ＰＵＳＣＨ伝送のためのサブフレーム当たりのＳＣ−ＦＤＭＡシンボルの個数で、Ｃ(x)は、前記データブロックｘのコードブロックの個数であり、
【数３８】
2013530563.tif 000038
は、前記データブロックｘのｒ番目のコードブロックのサイズであり、ｒは、０以上の整数である、請求項１４に記載のユーザー装置。
【請求項１６】
α＝１であることを特徴とする、請求項１４に記載のユーザー装置。
【請求項１７】
前記制御情報は、チャネル品質に関連した情報を含むことを特徴とする、請求項１４に記載のユーザー装置。
【請求項１８】
前記制御情報は、ＣＱＩ（Ｃｈａｎｎｅｌ  Ｑｕａｌｉｔｙ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）のうち少なくとも一つを含むことを特徴とする、請求項１４に記載のユーザー装置。